(57)【要約】【課題】レバーハンドルの操作方向が上下逆となる誤取付けを防止し、取付向きが容易に判別できるレバーハンドル座の取付構造を得る。【解決手段】先端に雌ネジの形成された複数の連結軸を扉１１に設けられた貫通穴に挿入して扉１１の一方の面１１ａに一方のレバーハンドル座１３を配置するとともに、扉１１の他方の面に配置した他方のレバーハンドル座の裏面に連結軸の先端を嵌合して、他方のレバーハンドル座の表面から挿入したネジを雌ネジに螺合することで、一対のレバーハンドル座１３を扉１１に挟着するレバーハンドル座の取付構造であって、複数の連結軸の少なくとも一つを他の連結軸と異なる外径で形成し、一方のレバーハンドル座１３に対する他方のレバーハンドル座の正規の取付け位置で異径の連結軸に嵌入する異径の嵌合穴を、他方のレバーハンドル座の裏面に設けた。【選択図】      図１
2008101349.tif 000002
【特許請求の範囲】
【請求項１】
先端に固着部の形成された複数の連結軸を、扉に設けられた貫通穴に挿入して前記扉の一方の面に一方のレバーハンドル座を配置するとともに、前記扉の他方の面に配置した他方のレバーハンドル座の裏面に前記各連結軸の先端をそれぞれ嵌合して該他方のレバーハンドル座の表面から装着した固定部材を前記固着部に固着することで、一対の前記レバーハンドル座を前記扉に挟着するレバーハンドル座の取付構造であって、
前記複数の連結軸の少なくとも一つが他の連結軸と異なる外径で形成され、
前記一方のレバーハンドル座に対する前記他方のレバーハンドル座の正規の取付け位置で異径の前記連結軸に嵌入する異径の嵌合穴が前記他方のレバーハンドル座の裏面に設けられたことを特徴とするレバーハンドル座の取付構造。
【請求項２】
前記複数の連結軸が、前記一方のレバーハンドル座の裏面から突出する左右一対のものからなり、且つ小径の前記連結軸が前記扉の戸先側に配置され、大径の前記連結軸が前記扉の吊元側に配置されることを特徴とする請求項１記載のレバーハンドル座の取付構造。
【請求項３】
前記一方のレバーハンドル座の本体に、上下を特定する第１の標識と、戸先側又は吊元側を特定する第２の標識が設けられたことを特徴とする請求項１又は請求項２記載のレバーハンドル座の取付構造。
【請求項４】
前記一対のレバーハンドル座のそれぞれには、相対回転不能にレバー軸を挿通するカム板が回動自在に設けられるとともに、該カム板を所定の回動範囲に回転規制するストッパピンが設けられ、
前記一対のレバーハンドル座は、主要部材が樹脂材料からなる部材によって構成される一方、少なくとも前記カム板及び前記ストッパピンが金属材料からなることを特徴とする請求項１〜請求項２のいずれか１項記載のレバーハンドル座の取付構造。
【請求項５】
前記レバー軸の先端には、該レバー軸の軸線に直交するレバーの基端が固設され、
前記レバーは、先端が水平から所定高さ浮上する傾斜角度で取付けられることを特徴とする請求項４記載のレバーハンドル座の取付構造。
【発明の詳細な説明】
【技術分野】
【０００１】
本発明は、一対のレバーハンドル座を扉に挟着するレバーハンドル座の取付構造に関し、例えば浴室ドア用レバーハンドル空錠に用いて好適なものである。
【背景技術】
【０００２】
錠装置には、本締め錠としてのデッドボルトを備えず、所謂空錠としてのラッチボルトのみを備えたものがある。この種の空錠は、例えば浴室錠として用いられる。従来、この浴室錠は、把持部が略円筒形状や玉形状のノブ形で形成されているものが一般的であった。
【０００３】
近年、バリアフリーや、操作性の向上、デザイン性の観点から、空錠に対しても把持部がレバー形状のものを採用する要請が多い（例えば、特許文献１，２参照）。空錠の場合、扉の戸先側にはラッチボルトやデッドボルトを進退自在に収容した錠箱が内蔵され、錠箱は把持部の軸を相対回転不能に貫通させる操作力入力リング部材を回動自在に備えている。把持部がレバー形状の浴室錠では、レバー軸の一端に一方のレバーハンドルが固設され、レバー軸の他端を、扉一方面（例えば浴室側面）から挿通して、錠箱の操作力入力リング部材を貫通させた後、扉他方面に突出した他端に他方のレバーハンドルが固定される。つまり、扉には一対のレバーハンドルが表裏から挟着される。
【０００４】
このようなレバーハンドルの取付構造において、扉の表裏には、レバー軸を回動自在に支持し、且つ扉に固定されるレバーハンドル座が取り付けられる。従来、このレバーハンドル座の取付構造は、一端を一方のレバーハンドル座に固定した複数の連結軸を、扉や錠箱を貫通させ、他端を他方のレバーハンドル座に固定することで、一対のレバーハンドル座を扉に挟着していた。
【０００５】
このようにして扉に取り付けられたレバーハンドル式の浴室錠は、レバー軸に基端を固設したレバーハンドルが扉面と平行且つ水平に配置された。また、レバーハンドルは、先端が扉の吊元側へ向く姿勢で取り付けられた。そして、下方へ略４５°の回転角度で回転操作されることで、錠箱の操作力入力リング部材を同方向に回転させ、錠箱内の空錠進退機構を作動させて、ラッチボルトを後退可能としていた。
【特許文献１】特開平８−２３２５１３号公報
【特許文献２】特開２０００−２０４８１５号公報
【発明の開示】
【発明が解決しようとする課題】
【０００６】
しかしながら、把持部がノブ形状であった浴室錠では、上下の区別は生じないが、把持部がレバーハンドルの浴室錠では、上下の区別が発生することとなった。一般的に、レバー軸は、断面正方形の軸で形成され、錠箱の操作力入力リング部材も、このレバー軸に嵌合する正方形の貫通を有する。したがって、レバーハンドルは、９０°毎の取付け角度で錠箱に挿通可能となる。ところが、本来、正規に取り付ければ下方へ略４５°の回転角度で回転操作されるレバーハンドル座であっても、上下逆に取り付けられると、レバーハンドルは、上記の嵌合構造から正規の姿勢で取付けできるものの、操作方向が略水平状態から略４５°上方となってしまうレバーハンドル座の誤取付けが発生した。特にレバーハンドル座が正面視で円形状である場合には正規の取付け姿勢であることの判別が困難であり、これに加えて扉表裏の何れかに取り付けられるレバーハンドル座であるかが判明しない場合には、さらに取付向きの判別に時間を要し、スムースな施工が行えない問題があった。
【０００７】
また、従来、浴室錠は、水分に対する耐腐食性を高めるため、摺接機構部材であるカム板及びストッパピンも含め主要部材を樹脂材料からなる部材によって構成するのが一般的であった。このため、特にレバーハンドル式の浴室錠では、過剰な操作荷重が加えられ易く、カム板やストッパピンが摩耗し、耐久性を著しく低下させるとともに、この摩耗により過回転（オーバーロード）が起こり、このような不具合からも内部機構の過剰動作や損壊のおそれがあった。
【０００８】
本発明は上記状況に鑑みてなされたもので、その第１の目的は、レバーハンドルの操作方向が上下逆となる誤取付けを防止し、取付向きが容易に判別できるレバーハンドル座の取付構造を提供し、もって、スムースな施工の実現を図ることにある。また、その第２の目的は、水分の残留に対しての耐腐食性を高めることができるとともに、摺接機構部材の動作の確実性、及び耐荷重性を高め、耐久性を向上させることにある。
【課題を解決するための手段】
【０００９】
次に、上記の課題を解決するための手段を、実施の形態に対応する図面を参照して説明する。
本発明の請求項１記載のレバーハンドル座の取付構造は、先端に固着部３３の形成された複数の連結軸３５，３７を、扉１１に設けられた貫通穴３９に挿入して前記扉１１の一方の面１１ａに一方のレバーハンドル座１３を配置するとともに、前記扉１１の他方の面１１ｂに配置した他方のレバーハンドル座１５の裏面に前記各連結軸３５，３７の先端をそれぞれ嵌合して該他方のレバーハンドル座１５の表面から装着した固定部材４１を前記固着部３３に固着することで、一対の前記レバーハンドル座１３，１５を前記扉１１に挟着するレバーハンドル座の取付構造であって、
前記複数の連結軸３５，３７の少なくとも一つ３５が他の連結軸３７と異なる外径で形成され、
前記一方のレバーハンドル座１３に対する前記他方のレバーハンドル座１５の正規の取付け位置で異径の前記連結軸３５，３７に嵌入する異径の嵌合穴５９，６１が前記他方のレバーハンドル座１５の裏面に設けられたことを特徴とする。
【００１０】
このレバーハンドル座の取付構造では、特定の少なくとも一つの連結軸３５と、扉１１の戸先側１１ｃ又は吊元側１１ｄとの相対関係、例えば、一つの小径の連結軸３５が戸先側１１ｃとなる相対関係が定められることで、一方のレバーハンドル座１３が、扉表裏面の何れかへ取付けるものであることが判明している、例えば浴室仕様のレバーハンドル座１３は扉１１の浴室側面１１ａとなる場合には、まず、一方のレバーハンドル座１３が扉１１の正しい取付け面１１ａに正しい上下姿勢で取付けされ、次いで、この一方のレバーハンドル座１３の連結軸３５，３７に嵌合させて他方のレバーハンドル座１５が扉反対面１１ｂに正しい上下姿勢で取付けされる。
【００１１】
請求項２記載のレバーハンドル座の取付構造は、前記複数の連結軸３５，３７が、前記一方のレバーハンドル座１３の裏面から突出する左右一対のものからなり、且つ小径の前記連結軸３５が前記扉１１の戸先側１１ｃに配置され、大径の前記連結軸３７が前記扉１１の吊元側１１ｄに配置されることを特徴とする。
【００１２】
このレバーハンドル座の取付構造では、特定の一つの連結軸、すなわち、連結軸３５を小径とした際に、この連結軸と戸先との相対関係を「先細」の語に関連づけして、小径の連結軸３５が扉１１の戸先側１１ｃに配置される。
【００１３】
請求項３記載のレバーハンドル座の取付構造は、前記一方のレバーハンドル座１３の本体４５に、上下を特定する第１の標識７９と、戸先側１１ｃ又は吊元側１１ｄを特定する第２の標識８１が設けられたことを特徴とする。
【００１４】
このレバーハンドル座の取付構造では、一方のレバーハンドル座１３の上下姿勢が判り、且つこの一方のレバーハンドル座１３の表裏何れかの扉取付面も特定することが可能となる。
【００１５】
請求項４記載のレバーハンドル座の取付構造は、前記一対のレバーハンドル座１３，１５のそれぞれには、相対回転不能にレバー軸２９を挿通するカム板４９が回動自在に設けられるとともに、該カム板４９を所定の回動範囲に回転規制するストッパピン８３が設けられ、
前記一対のレバーハンドル座１３，１５は、主要部材が樹脂材料からなる部材によって構成される一方、少なくとも前記カム板４９及び前記ストッパピン８３が金属材料からなることを特徴とする。
【００１６】
このレバーハンドル座の取付構造では、主要部分において水分の残留に対しての耐腐食性が高められるとともに、摺接機構部材であるカム板４９及びストッパピン８３の耐摩耗性が高められる。
【００１７】
請求項５記載のレバーハンドル座の取付構造は、前記レバー軸２９の先端には、該レバー軸２９の軸線に直交するレバー１７ａ，１９ａの基端が固設され、
前記レバー１７ａ，１９ａは、先端が水平から所定高さ浮上する傾斜角度で取付けられることを特徴とする。
【００１８】
このレバーハンドル座の取付構造では、先端が水平から所定高さ浮上する傾斜角度（仰角）でレバー１７ａ，１９ａが取付けられ、水平や下り傾斜の場合に比べ、レバー１７ａ，１９ａに対しての握り易さや、操作の容易性（少量回転による操作力の入力）が連想可能となる。
【発明の効果】
【００１９】
本発明に係る請求項１記載のレバーハンドル座の取付構造によれば、扉に貫通させた複数の連結軸を嵌合して、一対のレバーハンドル座を扉に挟着する取付構造において、一方のレバーハンドル座における連結軸の少なくとも一つを他の連結軸と異なる外径で形成し、正規の取付け位置で前記異径の連結軸に嵌入する異径の嵌合穴を他方のレバーハンドル座の裏面に設けたので、特定の一つの連結軸と、扉の戸先側又は吊元側との相対関係、例えば、小径の連結軸が戸先側となる相対関係を定めておくことで、一方のレバーハンドル座が、扉表裏面の何れかへ取付けるものであることが判明している、例えば浴室仕様のレバーハンドル座は扉の浴室側面となる場合には、まず、一方のレバーハンドル座を扉の正しい取付け面に正しい上下姿勢で取付けでき、次いで、この一方のレバーハンドル座の連結軸を嵌合させて他方のレバーハンドル座を扉反対面に正しい上下姿勢で取付けできる。これにより、一対のレバーハンドル座を正規の姿勢で扉の表裏に取付けでき、レバーハンドルの操作方向を、レバーハンドルの先端が吊元側を向いた略水平状態で、下方へ略４５°回転させる正規の操作方向にできる。したがって、レバーハンドルの操作方向が、略水平状態から略４５°上方の上下逆となるレバーハンドル座の誤取付けを確実に防止し、取付向きを容易に判別して、スムースな施工を実現できる。
【００２０】
請求項２記載のレバーハンドル座の取付構造によれば、複数の連結軸を、一方のレバーハンドル座の裏面から突出する左右一対のもので構成し、且つ小径の連結軸を扉の戸先側に配置し、大径の連結軸を扉の吊元側に配置したので、特定の一つの連結軸、すなわち、小径の連結軸と戸先との相対関係を「先細」の語に関連づけして、把握し易くすることができる。
【００２１】
請求項３記載のレバーハンドル座の取付構造によれば、一方のレバーハンドル座の本体に、上下を特定する第１の標識と、戸先側又は吊元側を特定する第２の標識とを設けたので、一方のレバーハンドル座の上下姿勢が分かり、且つこの一方のレバーハンドル座の表裏何れかの扉取付面も特定することができる。すなわち、一方のレバーハンドル座は、上向きとした姿勢で小径の連結軸が戸先側となる唯一の取付け姿勢・扉取付面で取付向きが定まる。これにより、一方のレバーハンドル座が、扉表裏面の何れへ取付けるものであることが判明しない場合であっても、第１、第２の標識によって、誤取付けを確実に防止し、取付向きを容易に判別して、スムースな施工を実現できる。
【００２２】
請求項４記載のレバーハンドル座の取付構造によれば、主要部材を樹脂材料からなる部材によって構成する一方、操作荷重の作用する少なくともカム板及びストッパピンを金属材料から構成したので、主要部材における水分の残留に対しての耐腐食性を高めることができるとともに、摺接機構部材であるカム板及びストッパピンの耐摩耗性や、特にレバーハンドル形状の場合に生じ易い過剰な回転操作による軸部分や内部機構への耐荷重性、すなわち操作強度を高めて、耐久性を向上させることができる。このことから、従来のような摩耗によるレバーハンドルの過回転（オーバーロード）が防止され、内部機構の損壊などの虞がなくなる。
【００２３】
請求項５記載のレバーハンドル座の取付構造によれば、レバーを、先端が水平から所定高さ浮上する傾斜角度（仰角）で取付けたので、水平や下り傾斜の場合に比べ、レバーの握り易さ、操作の容易性（少量回転による操作力の入力）を連想させて、且つ見栄えを向上させることができる。
【発明を実施するための最良の形態】
【００２４】
以下、本発明に係るレバーハンドル座の取付構造の好適な実施の形態を図面を参照して詳細に説明する。
図１は本発明に係るレバーハンドル座の取付構造の設けられた浴室扉の斜視図、図２は図１のＡ−Ａ矢視図である。
本実施の形態によるレバーハンドル座の取付構造は、扉１１を挟んで一対のレバーハンドル座１３，１５が挟着される。本実施の形態では、扉１１が浴室扉となる。レバーハンドル座１３は扉１１の浴室側１１ａに取り付けられ、レバーハンドル座１５は扉１１の浴室外側１１ｂに取り付けられる。また、扉１１は、レバーハンドル座１３，１５の挟着される側が戸先側１１ｃとなり、反対側が吊元側１１ｄとなる。なお、本発明に係るレバーハンドル座の取付構造は、浴室扉に限定して採用されるものではなく、一対のレバーハンドル座を表裏に取り付ける全ての扉に適用可能なものである。
【００２５】
レバーハンドル座１３，１５にはレバーハンドル１７，１９が取り付けられる。扉１１の戸先側１１ｃには錠箱２１が内蔵される。錠箱２１には不図示の空錠進退機構を作動させて、ラッチボルト２３を後退可能とする操作力入力リング部材２５が回動自在に設けられる。操作力入力リング部材２５は、略正方形の貫通穴２７を有する。この貫通穴２７には断面正方形のレバー軸２９が貫通する。レバー軸２９の一端にはレバーハンドル１７が固設されている。レバー軸２９は、他端を貫通穴２７に挿通した後、その突出先端にレバーハンドル１９が冠着され、ネジ３１によって脱落が阻止される。つまり、扉１１は一対のレバーハンドル１７，１９が表裏から挟着される。レバーハンドル１７，１９は、下方へ略４５°の回転角度で回転操作されることで、錠箱２１の操作力入力リング部材２５を同方向に回転させる。
【００２６】
図３は図２の要部分解平断面図である。
このレバーハンドル座の取付構造では、先端、本実施の形態では両端に固着部としての雌ネジ３３の形成された複数、本実施の形態では２本の連結軸３５，３７を扉１１に設けられた貫通穴３９に挿入して、扉１１の一方の面、例えば浴室側１１ａに一方のレバーハンドル座１３を配置するとともに、扉１１の他方の面、例えば浴室外側１１ｂに配置した他方のレバーハンドル座１５の裏面に連結軸３５，３７の先端を嵌合して、レバーハンドル座１５の表面から挿入した固定部材としてのネジ４１を雌ネジ３３に螺合し固着することで、一対のレバーハンドル座１３，１５を扉１１に挟着する。
【００２７】
本実施の形態では、レバーハンドル座１３に連結軸３５，３７が予めネジ４３によって固定される場合を例に説明するが、レバーハンドル座１５に連結軸３５，３７が予め固定され、連結軸３５，３７を貫通穴２７に挿通した後、その突出端にレバーハンドル座１３をネジ４３によって固定するものであってもよい。
【００２８】
レバーハンドル座１３は、樹脂材料からなる本体４５と、ステンレス材からなり本体４５の外面に被着される化粧キャップ４７と、レバー軸２９が相対回転不能に貫通するカム板４９と、カム板４９を一方の回転方向に付勢するスプリング５１と、本体４５の裏面に設けられる座板５３とを有する。
【００２９】
また、レバーハンドル座１５は、図３に示すように、同様の構成部材となる化粧キャップ４７と、カム板４９と、スプリング５１とを有する。一方、本体５５及び座板５７は、上記本体４５及び座板５３と左右対称形状で形成されたものを有している。
【００３０】
図４は図２のＢ−Ｂ矢視図、図５は図４に示した座板の正面図である。
ここで、本発明に係るレバーハンドル座の取付構造では、複数の連結軸の少なくとも一つが他の連結軸と異なる外径で形成される。本実施の形態では、２本の連結軸３５，３７のうち一方の連結軸３５の外径ｄが、他方の連結軸３７の外径Ｄと異なる外径、すなわち、連結軸３７よりも小径で形成されている。
【００３１】
図５に示すように、レバーハンドル座１３の座板５３には連結軸３５の貫通する小径穴５９と、連結軸３７の貫通する大径穴６１とが穿設されている。なお、図５中、６３は本体４５の突起６４（図４参照）に係合して位置決めを行う切欠、６５はビス６６（図４参照）によって座板５３を固定するための固定穴、６７はカム板４９の軸部４９ａ（図３参照）を挿通する受け穴を表す。
【００３２】
図３に示すように、レバーハンドル座１５の座板５７にも、小径穴５９、大径穴６１、受け穴６７が穿設される。また、図示はされないが上記同様の切欠６３、固定穴６５も有している。つまり、レバーハンドル座の取付構造では、レバーハンドル座１３に対するレバーハンドル座１５の正規の取付け位置で、異径の連結軸３５，３７に嵌入する異径の嵌合穴（小径穴５９、大径穴６１）が、レバーハンドル座１５の裏面（すなわち、座板５７）に設けられている。
【００３３】
また、本体５５にはスプリング５１、カム板４９を収容する凹部６９、連結軸３５，３７の先端を嵌合する嵌合穴７１，７３を有する。この嵌合穴７１，７３は、ネジ４１を挿通するネジ穴７５，７７と同軸に形成されている。
【００３４】
本実施の形態では、複数の連結軸が、一方のレバーハンドル座１３の裏面から突出する左右一対のもの（連結軸３５，３７）からなり、且つ小径の連結軸３５が扉１１の戸先側１１ｃに配置され、大径の連結軸３７が扉１１の吊元側１１ｄに配置される。このような配置構成とすることで、特定の一つの連結軸（すなわち、小径の連結軸３５）と戸先との相対関係を「先細」の語に関連づけして、把握し易くすることができる。
【００３５】
図６は図２に示した一方のレバーハンドル座本体の正面図である。
また、本実施の形態では、一方のレバーハンドル座１３の本体４５に、上下を特定する第１の標識７９と、戸先側又は吊元側（本実施の形態では戸先側１１ｃ）を特定する第２の標識８１が設けられている。これにより、一方のレバーハンドル座１３の上下姿勢が分かり、且つこのレバーハンドル座１３の表裏何れかの扉取付面も特定することができる。すなわち、レバーハンドル座１３は、上向きとした姿勢で小径の連結軸３５が戸先側となる唯一の取付け姿勢・扉取付面で取付向きが定まる。これにより、一方のレバーハンドル座１３が、扉表裏面の何れへ取付けるものであることが判明しない場合であっても、第１、第２の標識７９，８１によって、誤取付けを確実に防止し、取付向きを容易に判別して、スムースな施工を実現できる。
【００３６】
図７は図２のＢ−Ｂ矢視における非操作時を（ａ）、操作時を（ｂ）で表した動作説明図である。
本実施の形態では、一対のレバーハンドル座１３，１５のそれぞれには、相対回転不能にレバー軸２９を挿通するカム板４９が回動自在に設けられるとともに、このカム板４９を所定の回動範囲に回転規制する図７（ａ）に示すストッパピン８３が設けられている。カム板４９は、図７（ｂ）に示すように、突起４９ｂをストッパピン８３に当接することで回転が略４５°の範囲に規制される。一対のレバーハンドル座１３，１５は、主要部材が樹脂材料からなる部材によって構成される一方、少なくともこれらカム板４９及びストッパピン８３が耐腐食性を備え且つ耐摩耗性を有する金属材料、例えばステンレス鋼などからなる。これにより、水分の残留に対しての耐腐食性を高めることができるとともに、摺接機構部材であるカム板４９及びストッパピン８３の耐摩耗性や、特にレバーハンドル形状の場合に生じ易い過剰な回転操作による軸部分及び内部機構への耐荷重性、すなわち操作強度を高めて、耐久性を向上させている。このことから従来のような摩耗によるレバーハンドルの過回転（オーバーロード）が防止され、内部機構の損壊などのおそれがなくなることとなる。
【００３７】
レバー軸２９の両端にはレバー軸２９の軸線に直交してレバーハンドル１７，１９の基端が固設され、レバー１７ａ，１９ａは、先端が水平、好ましくは水平から所定高さ、例えば浮上する傾斜角度、例えば水平から１°上方へと傾いて取付けられている。このように、レバー１７ａ，１９ａを、先端が水平から所定高さ浮上する傾斜角度（仰角）で取付けることで、水平や下り傾斜の場合に比べ、レバー１７ａ，１９ａの握り易さ、操作の容易性（少量回転による操作力の入力）を連想させて、且つ見栄えを向上させることができる。
【００３８】
したがって、本実施の形態によるレバーハンドル座の取付構造によれば、扉１１に貫通させた複数の連結軸３５，３７を嵌合して、一対のレバーハンドル座１３，１５を扉１１に挟着する取付構造において、一方のレバーハンドル座１３における連結軸３５を他の連結軸３７と異なる外径で形成し、正規の取付け位置で異径の連結軸３５，３７に嵌入する異径の小径穴５９、大径穴６１を他方のレバーハンドル座１５の裏面に設けたので、特定の一つの連結軸３５と、扉１１の戸先側１１ｃ又は吊元側１１ｄとの相対関係（例えば、小径の連結軸３５が戸先側１１ｃとなる相対関係）を定めておくことで、一方のレバーハンドル座１３が、扉表裏面の何れかへ取付けるものであることが判明している（例えば浴室仕様のレバーハンドル座１３は扉１１の浴室側１１ａ面となる）場合には、まず、一方のレバーハンドル座１３を扉１１の正しい取付け面１１ａに正しい上下姿勢で取付けでき、次いで、この一方のレバーハンドル座１３の連結軸３５，３７を嵌合させて他方のレバーハンドル座１５を扉反対面１１ｂに正しい上下姿勢で取付けできる。
【００３９】
これにより、一対のレバーハンドル座１３，１５を正規の姿勢で扉１１の表裏に取付けでき、レバーハンドル１７，１９の操作方向を、レバーハンドル１７，１９の先端が吊元側１１ｄを向いた略水平状態で、下方へ略４５°回転させる正規の操作方向にできる。したがって、レバーハンドル１７，１９の操作方向が、略水平状態から略４５°上方の上下逆となるレバーハンドル座の誤取付けを確実に防止し、取付向きを容易に判別して、スムースな施工を実現できる。
【００４０】
図８は本発明に係るレバーハンドル座の取付構造をエスカチオン付扉に採用した場合の平断面図である。なお、図１〜図７に示した部材と同等の部材には同一の符号を付し、重複する説明は省略するものとする。
上記の実施の形態によるレバーハンドル座の取付構造では、レバーハンドル座１３，１５が直接扉１１の表裏面に取り付けられる場合を例に説明したが、本発明に係るレバーハンドル座の取付構造は、扉１１の表裏面に取り付けられた例えばエスカチオン９１等の化粧部材を介して扉１１に間接的に取り付けられるものであってもよい。
【００４１】
また、上記の実施の形態では、座板５３、５７に、小径穴５９、大径穴６１を穿設したが、小径穴５９、大径穴６１は、直接本体４５、５５のみに穿設されるものであってもよい。さらに、小径穴５９、大径穴６１は、扉１１の貫通穴３９として穿設されるものであってもよい。
【図面の簡単な説明】
【００４２】
【図１】本発明に係るレバーハンドル座の取付構造の設けられた浴室扉の斜視図である。
【図２】図１のＡ−Ａ矢視図である。
【図３】図２の要部分解平断面図である。
【図４】図２のＢ−Ｂ矢視図である。
【図５】図４に示した座板の正面図である。
【図６】図２に示した一方のレバーハンドル座本体の正面図である。
【図７】図２のＢ−Ｂ矢視における非操作時を（ａ）、操作時を（ｂ）で表した動作説明図である。
【図８】本発明に係るレバーハンドル座の取付構造をエスカチオン付扉に採用した場合の平断面図である。
【符号の説明】
【００４３】
１１…扉
１１ａ…扉の一方（浴室側，取付面）
１１ｂ…扉の他方（浴室外側，反対面）
１１ｃ…扉の戸先側
１１ｄ…扉の吊元側
１３…レバーハンドル座（一方のレバーハンドル座）
１５…レバーハンドル座（他方のレバーハンドル座）
１７ａ，１９ａ…レバー
２９…レバー軸
３３…固着部（雌ネジ）
３５，３７…連結軸
３９…貫通穴
４１…固定部材（ネジ）
４９…カム板
５９…小径穴（異径の嵌合穴）
６１…大径穴（異径の嵌合穴）
７９…第１の標識
８１…第２の標識
８３…ストッパピン
【図１】
2008101349.tif 000003
【図２】
2008101349.tif 000004
【図３】
2008101349.tif 000005
【図４】
2008101349.tif 000006
【図５】
2008101349.tif 000007
【図６】
2008101349.tif 000008
【図７】
2008101349.tif 000009
【図８】
2008101349.tif 000010